(57)【要約】【課題】  従来の図書館管理システムを改良する。【解決手段】  ＩＣタグを利用した図書館における書籍類の貸出及び返却等の図書館管理システムであって、前記図書館管理システムで使用されるリーダライター装置用の平面アンテナにおいて、タグ組込型背ラベル及びＣＤ／ＤＶＤラベルのＩＣタグとダイポールアンテナ等の組み合せにより、電波の飛距離の限られたＩＣタグのみを確実にアクセス可能にしたことと、柵動時の書架に並んだ状態で書架前面にＩＣタグが相互に重ならないような形状にし、それに対向してダイポール型アンテナをスキャンさせてＩＣタグを確実にスキャンするＩＣタグを用いた図書館システムにおけるダイポール型アンテナによるＩＣタグスキャンシステムの提供。【選択図】  図１
2005354576.tif 000002
【特許請求の範囲】
【請求項１】
ＩＣタグを利用した図書館における書籍類の貸出及び返却等の図書館管理システムであって、前記図書館管理システムで使用されるリーダライター装置用の平面アンテナにおいて、タグ組込型背ラベル及びＣＤ／ＤＶＤラベルのＩＣタグとダイポールアンテナ等の組み合せにより、電波の飛距離の限られたＩＣタグのみを確実にアクセス可能にしたことを特徴とするＩＣタグを用いた図書館システムにおけるダイポール型アンテナによるＩＣタグスキャンシステム。
【請求項２】
前項のダイポール型アンテナによるＩＣタグスキャンシステムにおいて、柵動時の書架に並んだ状態で書架前面にＩＣタグが相互に重ならないような形状にし、それに対向してダイポール型アンテナをスキャンさせてＩＣタグを確実にスキャンする請求項１記載のＩＣタグを用いた図書館システムにおけるダイポール型アンテナによるＩＣタグスキャンシステム。
【請求項３】
ＩＣタグを利用した図書館における書籍類の貸出及び返却等の書籍類管理システムにおいて、各種書籍類に付されているＩＣタグとコピー機の読取装置が連動しかつコピー権の許可又は不許可を付与し、更にＩＣデータの中にコピー権を記録させて前記コピー機の読取装置がそれぞれ判断をし、その一部コピーの繰り返しによる管理を行うＩＣ及びコピー機の連携によるコピー防止システムと、ＵＨＦ帯を介してダイポールアンテナにより飛距離を制限しかつ書籍類に付したタグに前記アンテナを近接させてＩＣタグの読み抜けを防止して安全かつ確実な読み取りを可能にし、更に狭い範囲のＩＣタグに集中的に電波を当て１枚当りのＩＣの起電力を確保して読み抜けを防止するポール型アンテナによるＩＣタグスキャンシステムと、背ラベルにＩＣを読み込み一体化させて書籍類に付けられているＩＣタグを表面に出さずに書籍類の印刷面隠しを未然に防止しかつＩＣタグの妨害を防ぐＩＣタグの組込型背ラベルと、前記ＩＣタグに透明素材を用いかつアンテナ金属面も目立たない色彩又はデザインを用いてカモフラージュしてなる透明ラベルと、から構成されることを特徴とするＩＣタグを利用した図書館における書籍類管理システム。
【請求項４】
請求項３記載の書籍類管理システムにおいて、書籍類の納入ルートが、受入作業→配架作業→貸出作業→持帰→ブックポスト返却→返却作業→配架作業と、該配架作業→←館内閲覧・書籍類点検と、から構成される請求項３記載のＩＣタグを利用した図書館における図書管理システム。
【請求項５】
請求項３記載の書籍類管理システムにおける受入作業が、スキャンしかつ管理データをＩＣ登録するシステムとからなり、また貸出作業が貸出書籍類をスキャンしてＩＣにゲート通過フラグを書き込ませた請求項３及び４記載のＩＣタグを利用した図書館における書籍類管理システム。
【請求項６】
請求項３記載の書籍類管理システムにおける返却作業が、返却書籍類のＩＣを連続スキャンしかつＩＣにゲード通過フラグを書き込む請求項３及び４記載のＩＣタグを利用した図書館における書籍類管理システム。
【請求項７】
請求項３記載の書籍類管理システムにおける館内閲覧が、通過書籍類のＩＣゲード通過フラグを読み取りかつ通過不可フラグの場合はアラームを鳴動し、更に通過フラグをＩＣに格納して瞬時に読み取る請求項３及び４記載のＩＣタグを利用した図書館における書籍類管理システム。
【請求項８】
請求項３記載の書籍類管理システムにおける書籍類の点検が、全ての書籍類を連続スキャンしてＩＣ管理データを読み取りかつ必要データを書き込み、更にサーバ情報処理にＩＣ管理データを利用した請求項３及び４記載のＩＣタグを利用した図書館における書籍類管理システム。
【請求項９】
請求項３記載の書籍類管理システムの図書館内にカウンターまわりに貸出カウンターを設け、該貸出カウンターで埋込式のリーダライタに書籍類と一緒に利用券のＩＣカードを載せ、更に前記カウンターの延長線上に自動貸出機を配設し、該自動貸出機を利用してＩＣ利用者カードと書籍類とを一緒に載せて利用者が自らが復数の書籍類を同時に貸出処理し、更に盗難防止ゲートを介し書籍類の点検を行う請求項３乃至８記載のＩＣタグを利用した図書館における書籍類管理システム。
【発明の詳細な説明】
【技術分野】
【０００１】
本発明は図書館管理システムに関するが、詳しくＩＣタグを用いた図書館システムにおけるタグポール型アンテナによるＩＣタグスキャンシステムに関するものである。
【背景技術】
【０００２】
従来のＩＣタグを利用した書籍類管理システムとしては、例えば特開２００３−８５３２９号の非接触ＩＣタグを利用した図書管理システムが開示されている。この従来システムは、図書館等における図書管理システムに関する発明であり、非接触ＩＣタグを図書や図書館利用カードに貼着することにより、図書の貸出管理をはじめ諸般の管理を容易かつ確実にすることを目的とするものであり、その特徴はあらかじめ貸出する図書及び図書館利用カードに非抵触通信機能を有する非接触ＩＣタグを装着し貸出又は返却の際に図書管理装置により、当該貸出又は返却にかかる図書及び図書館利用カードの双方の非接触ＩＣタグを当該図書館の管理装置の一つのリーダライタにより実質的に同時に読み取らせて図書及び図書館利用カードの識別ＩＤを認識し、当該識別ＩＤとデータベース上の図書内容及び利用者を対応させることにより、貸出又は返却にかかる図書及び利用者を特定し記録又はディスプレイ表示するところにある。
【特許文献１】特開２００３−８５３２９号公報  この従来公知の具体的な処理システムは、図１乃至図３に示すように図書館等の在庫図書及び図書館利用カードに非接触ＩＣタグを装着し、それに識別ＩＤを記録して図書管理装置に読み取らせることにより、図書の貸出、返却処理、購入図書の受け入れ、返却図書の仕分け等の諸般の管理を確実かつ効率的に行おうとするシステムに関するものである。そして、図１は非接触ＩＣタグを利用した図書管理システムの例を示すブロック図で、図２は図書管理装置で非接触ＩＣタグを読み取っている状況を示す図である。図書管理システムは、他に非接触ＩＣタグを装着した図書及び図書館利用カード等が含まれて構成されている。図中１１は主制御部であり、中央演算装置を含みシステム全体の制御や情報管理を行なう。１２は非接触ＩＣタグ用プリンタ装置であり、図書及び図書館利用カードの非接触ＩＣタグラベル４への情報のエンコードを行い、必要により可視情報の書き込みを行なう。また、１３は貸出用で１４は返却用図書あるいは図書館利用カードの非接触ＩＣタグを読み取るリーダライタであって、アンテナ部１３ａ、１４ａと表示及び入力部１３ｄ、１４ｄとからなっている。このように構成された非接触ＩＣタグラベルに、記録されている図書や利用者の識別ＩＤの読み取りを行う。また、図１のように貸出用又は返却用として各別に設けて共用しても良く、それぞれ複数設けるのも自由である。貸出や返却用のリーダライタ１３、１４は、データの訂正や補充あるいは貸出フラグのセットやリセットの必要があるので書込み機能を備えることが好ましい。また主制御部１１には、図書館の蔵書図書データベース１５や登録利用者データベース１６が接続されている。主制御部１１は、管理用ソフトウェア１７を使用しており、これにより図書用非接触ＩＣタグや図書館利用カードへのエンコードや印字と非接触ＩＣタグを読み取り、データベースの蓄積やデータベースの呼出しの作業を主制御部１１と協動して行なう。
【０００３】
次に図書管理装置は、主制御部１１とデータベース１５、１６及び貸出及び返却用の読み取り用アンテナ１３ａ、１４ａ及び表示及び入力部１３ｄ、１４ｄ又は必要により出力用プリンタを含む装置とが考えられる、また非接触ＩＣタグプリンタ装置１２は、図書用抵触ＩＣタグに識別ＩＤ又は管理番号又は必要な書誌的事項の一部をエンコードする。識別ＩＤ又は管理番号には、蔵書図書館の区別や図書分類が記録されるのが通例である。なお、大量の非接触ＩＣタグにエンコードする場合は図書情報を蓄積したデータベースを使用して、非接触ＩＣタグの連続ラベル状体に対して連続的にデータをエンコードすることができる。また図書館利用カードに対しては、利用者の識別ＩＤをエンコードし氏名等を印字できるが、紙カード等簡易カードとする場合は氏名等は手書きで記入してもよい。また図書館の在庫図書に関するデータベース１５は、図書識別ＩＤ・管理番号・書名・発行所名・発行日・著者名・版数・売価等の通常の蔵書目録に記載する事項の他に帯出制限等を蓄積するが、これらの項目は目的に応じて自由に設定する。また登録利用者に関するデータベース１６は、利用者識別ＩＤ・氏名・性別・年齢・住所・利用有効期間等であるが項目の設定は同様に自由にできるが、更に貸出や返却図書に関する履歴データベースを設けることもでき利用者識別ＩＤと共に貸出した図書の識別ＩＤの記録がされる。
【０００４】
また、図２のように図書管理装置で非接触ＩＣタグを読み取る場合は、非接触ＩＣタグ読み取り用アンテナ１３ａ上に数冊の図書２と図書館利用カード３を記載させて双方を同時に読み取りする。また読み取り用アンテナ１３ａは、平面な板状に形成されているが内部にアンテナと送受信用モジュールを備えている。そして、所定周波数の電波を送信して応答する信号のうち、特に図書や図書館利用カードの識別ＩＤの読み取りを行なう。更に、図書の非接触ＩＣタグに帯出禁止処理や貸出制限の条件が記録されている場合は、それらを読み取っても良く利用カードに利用の有効期間や利用者の年齢等が記録されている場合も同様である。こららのデータは、データベースに蓄積するものであっても良く、更にいずれか又は双方にするかはシステム使用者が考慮して決定することができる。なお、読取用のアンテナ１３ａが読み取った内容は表示用ディスプレイ１３ｄに表示され、扱い者は利用者と図書の現物と表示内容の一致を確認することができる。このように非接触ＩＣタグの場合は、バーコードの読み取りと異なり人為的な読み取り動作が不要であって、載置した図書から自動的に読み取りできる利便性がある。またアンテナ１３ａは、２０〜３０ｃｍの距離の読み取りができるので山積みした図書のそれぞれの非接触ＩＣタグデータを漏れなく順次読み取ることも可能であるが、図書館での貸出の場合は数冊の範囲であるから殆ど瞬間的に正確な読み取りが可能である。このように構成される図書管理装置は、貸出図書に対して貸出時にＩＣタグのメモリに貸出フラグのセット（１）を行なう。また、返却時には利用者カードが添付されない場合でも返却処理できるようにするためである。また、非抵触ＩＣタグのＩＣチップにはチップ毎に「ユニークＩＤ」が記録されているので、リーダライタは図書と図書館利用カードのＩＣチップを区別することができ、図書に付されたＩＣタグに対してのみ貸出フラグをセットすることができる。同様に、図書が返却された場合はフラグがリセット（Ｏ）される。このように図書に貸出フラグが記録されることで、例えばＡ図書館から貸出された図書が区域内のＢ図書館に返却されても、Ａ図書館から不正持ち出ししたものと間違えることはなくなる。
【０００５】
また、読取用のアンテナ１３は非接触ＩＣタグに対して共振周波数の電波を送信する。通常、１３５ｋＨｚ（中波）、１３．５６ＭＨｚ、２．４５ＧＨｚ（マイクロ波）の周波数帯で使用される。１３．５６ＭＨｚは、非接触ＩＣタグやＩＣカードに多用されるが同一波数であっても通信方法が各社によって異なるために共用できるとは限らない。また、読取用のアンテナ１３ａが読み取った識別ＩＤはデータベース１５、１６に蓄積しているデータとの対応付けを識別ＩＤを基にして行なわれ、貸出管理装置に図書名や利用者等がディスプレイ表示される。データベース１５に、図面のカバー、表紙、裏表紙の外観に関する画像データを蓄積する場合は、当該画像をディスプレイに表示して現物の貸出図書とデータ上の図書が一致するものであることを肉眼で確認することができる。なお、図書の返却の際は同様に読取装置で返却図書の識別ＩＤの読み取りをするが、返却する利用者の主体を厳密に問わない場合は図書館利用カードとは別に返却図書だけを返却ボックスに投入するものであってもよく、無人の図書返却扱いが可能となる。このようなシステムでは、図書を区域内の複数の図書館で管理する場合には他の図書館で貸出した図書の返却を別の図書館で返却の処理をすることもできる。
【０００６】
また、履歴データベースを設ける場合には図書を貸出した内容及び利用者は当該貸出をした日付と共にデータベベースに記録し保管する。これらのデータは、貸出期限が過ぎた図書の返却督促に利用できるのは通常の貸出システムと同様であり、図書の利用頻度等の調査にも活用できる。なお、図書管理システムとして利用者に貸出した図書の明細を渡す場合は、出力用プリンタにより貸出明細リストを出力し渡すことになる。このように、返却図書の仕分けを非接触ＩＣタグを読み取って行なうことができる。図書館では、図書の管理を図書分類に従い管理番号を読み取って所定の位置に戻すのに大変な労力が必要となる。そこで、非接触ＩＣタグの識別ＩＤ（または管理番号）を読み取り、搬送路上においてコンベアと仕分け機械により自動仕分け操作を行なえば、人手を要さず大まかな分類が可能となるものである。
【０００７】
更に、システムで使用する非接触ＩＣタグについては図３で説明すれば、図３は図書館利用カードにおける非接触ＩＣタグの例を示す図であり、反対側の表面には図書館の名称や利用者の氏名の表示が設けられている。そこで、図書館利用カード３の場合はプラスチック等の基材に非接触ＩＣタグラベル４をプレスレミネートした構成とするのが一般的であるが、カードを簡易な構成する場合は紙基材に非接触ＩＣタグラベル４を貼着した形態であってもよい。また、紙基材に導電柱インキで印刷したアンテナ面にインターポーザ形態のＩＣチップラベルを貼着した形態であってもよく、またＩＣチップラベルの場合はモトローラ社製のＢｉｓａｔｉｘを使用することが多い。更に、非接触ＩＣタグラベル４はプラスチック等の基材にコイルパターン４２を形成し、当該コイルと容量素子とにより共振回路を形成して一定周波数の電波を受信し送信するようにされている。またコイルパターン４２は、ほぼカード全面の大きさに形成されコイルパターンの一端は導通部材４４により基材の裏面で、ジャンピング回路を形成してコイル接続端子４２ＣによりＩＣチップ４１の裏面のバンプに接続している。容量素子は、ＩＣチップに内蔵されるか浮遊容量を利用することになる。このような非接触ＩＣタグラベルは樹脂基材にラミネートしたアルミ箔等の金属箱をフォトエッチングやレジスト印刷後のエッチングによりコイルパターンを形成し、ＩＣチップ４１を装着し保護用の被覆及び粘着剤層を設けることにより形成することができる。また、図書には非接触ＩＣタグラベル４を直接貼着した形態が採用される。非接触ＩＣタグラベル４は、表紙とか裏表紙とか図書の外面部分に貼着しても良いが、他の図書との接触や取り扱い時の物理的外力により剥離することもあるので直接外面に表れない部分が好ましいとも考えられる。実際には、表紙面や表紙の内面や裏表紙面や裏表紙の内面や奥付け部、その他の図書内の任意なページ面に貼着することになる。図書館利用カードと同一特性とするためには、同一のアンテナ形状やサイズとし同一特性のＩＣチップを使用する必要がある。
【発明の開示】
【発明が解決しようとする課題】
【０００８】
このような従来公知の図書館管理システムに改良を加えて従来システムよりも優れたシステムにするところに、本発明が解決しようとする課題を有している。
【課題を解決するための手段】
【０００９】
本発明は上記の如き課題を解決するために開発したものであり、ＩＣタグを利用した図書館における書籍類の貸出及び返却等の図書館管理システムであって、前記図書館管理システムで使用されるリーダライター装置用の平面アンテナにおいて、タグ組込型背ラベル及びＣＤ／ＤＶＤラベルのＩＣタグとダイポールアンテナ等の組み合せにより、電波の飛距離の限られたＩＣタグのみを確実にアクセス可能にしたことを特徴とするＩＣタグを用いた図書館システムにおけるダイポール型アンテナによるＩＣタグスキャンシステムの提供にあり、また前記のダイポール型アンテナによるＩＣタグスキャンシステムにおいて、柵動時の書架に並んだ状態で書架前面にＩＣタグが相互に重ならないような形状にし、それに対向してダイポール型アンテナをスキャンさせてＩＣタグを確実にスキャンするＩＣタグを用いた図書館システムにおけるダイポール型アンテナによるＩＣタグスキャンシステムの提供にある。
【００１０】
また本発明は、ＩＣタグを利用した図書館における書籍類の貸出及び返却等の図書館管理システムであって、前記図書館管理システムに図書館で管理される書籍類その他の資料に貼付するＩＣタグ及びリーダライター装置において、前記図書館の図書貸出・返却と蔵書の点検作業にＲＦＩＤを活用してなるこを特徴とするＩＣタグを用いた図書館システムにおいてＲＦＩＤを活用した図書館管理システムの提供にあり、また前記の図書館システムにおいて書籍類が重なり合った場合にもタグ同士が重り合わないようにするために書籍類の背部分に貼付を可能な形状にしたＩＣタグを設け、該ＩＣタグ同士の重り合いを避けて読み抜けを防ぐＩＣタグを用いた図書館システムにおいてＲＦＩＤを活用した図書館管理システムの提供にあり、また前記の図書館管理システムにおいて図書館の書籍類に貼り付ることが必要になっている背ラベルにＩＣタグの組み込みを一体化させ、該背ラベルとＩＣタグとを共用しかつ重り合いを防いで対読み抜けの性能を向上させるＩＣタグを用いた図書館システムにおいてＲＦＩＤを活用した図書館管理システムの提供にあり、また前記の図書館管理システムにおいて書籍類の背に近いページの間に貼り付けて使用する細長形状のＩＣタグを設け、該ＩＣタグを書籍類の背部分に差し込み若しくは書籍類の背部に近いページの間に貼り付けて使用するＩＣタグを用いた図書館システムにおいてＲＦＩＤを活用した図書館管理システムの提供にあり、また前記の図書館管理システムにおいて細長形状のＩＣタグのベース素材を透明にしかつアンテナ色も目に付きにくい色彩にしたＩＣタグを用いた図書館システムにおいてＲＦＩＤを活用した図書館管理システムの提供にある。
【００１１】
また本発明は、ＩＣタグを利用した図書館における書籍類の貸出及び返却等の書籍類管理システムにおいて、各種書籍類に付されているＩＣタグとコピー機の読取装置が連動しかつコピー権の許可又は不許可を付与し、更にＩＣデータの中にコピー権を記録させて前記コピー機の読取装置がそれぞれ判断をし、その一部コピーの繰り返しによる管理を行うＩＣ及びコピー機の連携によるコピー防止システムと、ＵＨＦ帯を介してダイポールアンテナにより飛距離を制限しかつ書籍の背に付したタグに前記アンテナを近接させてＩＣタグの読み抜けを防止して安全かつ確実な読み取りを可能にし、更に狭い範囲のＩＣタグに集中的に電波を当て１枚当りのＩＣの起電力を確保して読み抜けを防止するポール型アンテナによるＩＣタグスキャンシステムと、背ラベルにＩＣを読み込み一体化させて書籍類に付けられているＩＣタグを表面に出さずに書籍類の印刷面隠しを未然に防止しかつＩＣタグの妨害を防ぐＩＣタグの組込型背ラベルと、前記ＩＣタグに透明素材を用いかつアンテナ金属面も目立たない色彩又はデザインを用いてカモフラージュしてなる透明ラベルと、から構成されることを特徴とするＩＣタグを利用した図書館における書籍類管理システムの提供にあり、また前記の書籍類管理システムにおいて書籍類の納入ルートが受入作業→配架作業→貸出作業→持帰→ブックポスト返却→返却作業→配架作業と、該配架作業→←館内閲覧・書籍類点検とから構成されるＩＣタグを利用した図書館における書籍類管理システムの提供にあり、また前記の書籍類管理システムにおける受入作業がスキャンしかつ管理データをＩＣ登録するシステムとからなり、また貸出作業が複数冊の貸出書籍類をスキャンしてＩＣにゲート通過フラグを書き込ませＩＣタグを利用した図書館における書籍類管理システムの提供にあり、また前記の書籍類管理システムにおける返却作業が返却書籍類のＩＣを連続スキャンしかつＩＣにゲード通過フラグを書き込むＩＣタグを利用した図書館における書籍類管理システムの提供にあり、また前記の書籍類管理システムにおける館内閲覧が通過本のＩＣゲード通過フラグを読み取りかつ通過不可フラグの場合はアラームを鳴動し、更に通過フラグをＩＣに格納して瞬時に読み取るＩＣタグを利用した図書館における書籍類管理システムの提供にあり、また前記の書籍類管理システムにおける書籍類の点検が全ての書籍類を連続スキャンしてＩＣ管理データを読み取りかつ必要データを書き込み、更にサーバ情報処理にＩＣ管理データを利用したＩＣタグを利用した図書館における書籍類の管理システムの提供により、また前記の書籍類管理システムの図書館内にカウンターまわりに貸出カウンターを設け、該貸出カウンターで埋込式のリーダライタに書籍類と一緒に利用券のＩＣカードを載せ、更に前記カウンターの延長線上に自動貸出機を配設し該自動貸出機を利用してＩＣ利用者カードと書籍類とを一緒に載せて利用者が自らが復数の書籍類を同時に貸出処理し、更に盗難防止ゲートを介し書籍類の点検を行うＩＣタグを利用した図書館における図書管理システムの提供にある。
【発明の効果】
【００１２】
本発明は、ＩＣタグを利用した図書館における書籍類の貸出及び返却等の図書館管理システムであって、前記図書館管理システムで使用されるリーダライター装置用の平面アンテナにおいて、タグ組込型背ラベル及びＣＤ／ＤＶＤラベルのＩＣタグとダイポールアンテナ等の組み合せにより、電波の飛距離の限られたＩＣタグのみを確実にアクセス可能にしたことを特徴とするＩＣタグを用いた図書館システムにおけるダイポール型アンテナによるＩＣタグスキャンシステムであり、また前記のダイポール型アンテナによるＩＣタグスキャンシステムにおいて柵動時の書架に並んだ状態で書架前面にＩＣタグが相互に重ならないような形状にし、それに対向してダイポール型アンテナをスキャンさせてＩＣタグを確実にスキャンするＩＣタグを用いた図書館システムにおけるダイポール型アンテナによるＩＣタグスキャンシステムであるから、従来システムのリーダライター装置は平面アンテナが一般的であり、その電波照射が広範囲にわたるためリーダライターのアクセス範囲内に多数のタグが同時に入るためにタグ相互間の干渉がおき易く、その結果「読み抜け」につながり易いのと、特定のＩＣタグに限定して電波を照射することが難しく結果として目的外のＩＣタグにまでアクセスしてしまう危険性があったが、本発明システムによればタグ組込背ラベル及びＣＤ／ＤＶＤラベルとＩＣタグとダイポールアンテナ等との組み合わせにより、電波飛距離を限定するとともに照射範囲をダイポール外周の一定範囲に限定してアンテナ近傍の限られたＩＣタグのみを確実にアクセスでき、更に棚卸時の書架に並んだ状態で書架前面にＩＣタグが相互に重ならないような形となるので、それに対向してダイポールアンテナをスキャンさせることにより目的のＩＣタグを確実にスキャンすることができる。
【００１３】
また本発明は、ＩＣタグを利用した図書館における書籍類の貸出及び返却等の図書館管理システムであって、前記図書館管理システムに図書館で管理される書籍類その他の資料に貼付するＩＣタグ及びリーダライター装置において、前記図書館の書籍類貸出・返却と書籍類の点検作業にＲＦＩＤを活用してなるこを特徴とするＩＣタグを用いた図書館システムにおいてＲＦＩＤを活用した図書館管理システムであり、また前記の図書館システムにおいて書籍類が重なり合った場合にもタグ同士が重り合わないようにするために書籍類の背部分に貼付を可能な形状にしたＩＣタグを設け、該ＩＣタグ同士の重り合いを避けて読み抜けを防ぐＩＣタグを用いた図書館システムにおいてＲＦＩＤを活用した図書館管理システムであり、また前記の図書館管理システムにおいて図書館の書籍類に貼り付ることが必要になっている背ラベルにＩＣタグの組み込みを一体化させ、該背ラベルとＩＣタグとを共用しかつ重り合いを防いで対読み抜けの性能を向上させるＩＣタグを用いた図書館システムにおいてＲＦＩＤを活用した図書館管理システムであり、また前記の図書館管理システムにおいて書籍類の背に近いページの間に貼り付けて使用する細長形状のＩＣタグを設け、該ＩＣタグを書籍類の背部分に差し込み若しくは書籍類の背部に近いページの間に貼り付けて使用するＩＣタグを用いた図書館システムにおいてＲＦＩＤを活用した図書館管理システムであり、また前記の図書館管理システムにおいて細長形状のＩＣタグのベース素材を透明にしかつアンテナ色も目に付きにくい色彩にしたＩＣタグを用いた図書館システムにおいてＲＦＩＤを活用した図書館管理システムであるから、従来システムでは得られない図書館においてＲＦＩＤを導入し書籍類の貸出・返却・点検作業を行う際に確実な動作と効率化を図ることができる。
【００１４】
また本発明は、ＩＣタグを利用した図書館における書籍類の貸出及び返却等の図書管理システムにおいて、各種書籍類に付されているＩＣタグとコピー機の読取装置が連動しかつコピー権の許可又は不許可を付与し、更にＩＣデータの中にコピー権を記録させて前記コピー機の読取装置がそれぞれ判断をし、その一部コピーの繰り返しによる管理を行うＩＣ及びコピー機の連携によるコピー防止システムと、ＵＨＦ帯を介してダイボールアンテナにより飛距離を制限しかつ書籍類に付したタグに前記アンテナを近接させてＩＣタグの読み抜けを防止して安全かつ確実な読み取りを可能にし、更に狭い範囲のＩＣタグに集中的に電波を当て１枚当りのＩＣの起電力を確保して読み抜けを防止するポール型アンテナによるＩＣタグスキャンシステムと、背ラベルにＩＣを読み込み一体化させて書籍類に付けられているＩＣタグを表面に出さずに書籍類の印刷面隠しを未然に防止しかつＩＣタグの妨害を防ぐＩＣタグの組込型背ラベルと、前記ＩＣタグに透明素材を用いかつアンテナ金属面も目立たない色彩又はデザインを用いてカモフラージュしてなる透明ラベルとから構成されることを特徴とするＩＣタグを利用した図書館における書籍類管理システムであり、また前記の書籍類管理システムにおいて書籍類の納入ルートが受入作業→配架作業→貸出作業→持帰→ブックポスト返却→返却作業→配架作業と、該配架作業→←館内閲覧・書籍類点検とから構成されるＩＣタグを利用した図書館における書籍類管理システムであり、また前記の書籍類管理システムにおける受入作業がスキャンしかつ管理データをＩＣ登録するシステムとからなり、また貸出作業が貸出書籍類をスキャンしてＩＣにゲート通過フラグを書き込ませＩＣタグを利用した図書館における書籍類管理システムであり、また前記の書籍類管理システムにおける返却作業が返却書籍類のＩＣを連続スキャンしかつＩＣにゲード通過フラグを書き込むＩＣタグを利用した図書館における書籍類管理システムであり、また前記の書籍類管理システムにおける館内閲覧が通過書籍類のＩＣゲード通過フラグを読み取りかつ通過不可フラグの場合はアラームを鳴動し更に通過フラグをＩＣに格納して瞬時に読み取るＩＣタグを利用した図書館における書籍類管理システムであり、また前記の書籍類管理システムにおける書籍類の点検が全ての書籍類を連続スキャンしてＩＣ管理データを読み取りかつ必要データを書き込み更にサーバ情報処理にＩＣ管理データを利用したＩＣタグを利用した図書館における書籍類管理システムであり、更に前記の書籍類管理システムの図書館内にカウンターまわりに貸出カウンターを設け、該貸出カウンターで埋込式のリーダライタに書籍類と一緒に利用券のＩＣカードを載せ、更に前記カウンターの延長線上に自動貸出機を配設し、該自動貸出機を利用してＩＣ利用者カードと本とを一緒に載せて利用者が自らが復数の書籍類を同時に貸出処理し、更に盗難防止ゲートを介し書籍類の点検を行うＩＣタグを利用した図書館における書籍類管理システムであるから、次のような従来システムには得られない多くの効果が得られる。
ア、本発明システムによれば、ＩＣとコピー機の連携によるコピー防止機能を有しているので図書館での繰り返しコピーの制限や企業内での不正コピーを未然に防止することができる。
イ、また本発明システムによればポール型アンテナによるＩＣタグスキャン方式を採用しているので、ポールアンテナと背に貼ったタグの組み合わせによって複数の連続したＩＣタグを安全かつ確実に読める。
ウ、また本発明システムによれば、透明ラベルを使用しているのでＩＣタグを視認しにくくなりタグ付の自由度を高くすることが可能となる。
【００１５】
更に本発明システムは、従来公知のシステムで得られた次のような効果も得られる。
ａ、書籍類及び図書館利用カードに非接触ＩＣタグが貼着されているから、書籍類管理装置により書籍類及び利用者の識別ＩＤを非接触で交信してデータを読み取り表示及び記録することができるので、データベースとの対応により利用者および貸出や返却書籍類の内容を瞬時に把握することができる。
ｂ、また、返却書籍類を図書館や書架別又は分類別に仕分けすることも容易であり、省力や作業の迅速化に貢献することができる。
【発明を実施するための最良の形態】
【００１６】
本発明の最良な実施形態は、ＩＣタグを利用した図書館における書籍類の貸出及び返却等の図書館管理システムであって、前記図書館管理システムで使用されるリーダライター装置用の平面アンテナにおいて、タグ組込型背ラベル及びＣＤ／ＤＶＤラベルのＩＣタグとダイポールアンテナ等の組み合せにより、電波の飛距離の限られたＩＣタグのみを確実にアクセス可能にしたことを特徴とするＩＣタグを用いた図書館システムにおけるダイポール型アンテナによるＩＣタグスキャンシステムであり、また前記のダイポール型アンテナによるＩＣタグスキャンシステムにおいて、柵動時の書架に並んだ状態で書架前面にＩＣタグが相互に重ならないような形状にし、それに対向してダイポール型アンテナをスキャンさせてＩＣタグを確実にスキャンするＩＣタグを用いた図書館システムにおけるダイポール型アンテナによるＩＣタグスキャンシステムであるから、従来システムよりも優れたシステムを提供することができる。
【００１７】
また本発明の最良な実施形態は、ＩＣタグを利用した図書館における書籍類の貸出及び返却等の図書館管理システムであって、前記図書館管理システムに図書館で管理される書籍類その他の資料に貼付するＩＣタグ及びリーダライター装置において、前記図書館の書籍類貸出・返却と書籍類の点検作業にＲＦＩＤを活用してなるこを特徴とするＩＣタグを用いた図書館システムにおいてＲＦＩＤを活用した図書館管理システムであり、また前記の図書館システムにおいて書籍類が重なり合った場合にもタグ同士が重り合わないようにするために書籍類の背部分に貼付を可能な形状にしたＩＣタグを設け、該ＩＣタグ同士の重り合いを避けて読み抜けを防ぐＩＣタグを用いた図書館システムにおいてＲＦＩＤを活用した図書館管理システムであり、また前記の図書館管理システムにおいて図書館の書籍類に貼り付ることが必要になっている背ラベルにＩＣタグの組み込みを一体化させ該背ラベルとＩＣタグとを共用しかつ重り合いを防いで対読み抜けの性能を向上させるＩＣタグを用いた図書館システムにおいてＲＦＩＤを活用した図書館管理システムであり、また前記の図書館管理システムにおいて書籍類の背に近いページの間に貼り付けて使用する細長形状のＩＣタグを設け、該ＩＣタグを本の背部分に差し込み若しくは本の背部に近いページの間に貼り付けて使用するＩＣタグを用いた図書館システムにおいてＲＦＩＤを活用した図書館管理システムであり、また前記の図書館管理システムにおいて細長形状のＩＣタグのベース素材を透明にしかつアンテナ色も目に付きにくい色彩にしたのＩＣタグを用いた図書館システムにおいてＲＦＩＤを活用した図書館管理システムであるから、従来システムよりも作動面や効率面においても優れたシステムといえる。
【００１８】
また本発明の最良な実施形態は、ＩＣタグを利用した図書館における書籍類の貸出及び返却等の書籍類管理システムにおいて、各種書籍類に付されているＩＣタグとコピー機の読取装置が連動しかつコピー権の許可又は不許可を付与し、更にＩＣデータの中にコピー権を記録させて前記コピー機の読取装置がそれぞれ判断をし、その一部コピーの繰り返しによる管理を行うＩＣ及びコピー機の連携によるコピー防止システムと、ＵＨＦ帯を介してダイポールアンテナにより飛距離を制限しかつ書籍類に付したタグに前記アンテナを近接させてＩＣタグの読み抜けを防止して安全かつ確実な読み取りを可能にし、更に狭い範囲のＩＣタグに集中的に電波を当て１枚当りのＩＣの起電力を確保して読み抜けを防止するポール型アンテナによるＩＣタグスキャンシステムと、背ラベルにＩＣを読み込み一体化させて書籍類に付けられているＩＣタグを表面に出さずに書籍類の印刷面隠しを未然に防止しかつＩＣタグの妨害を防ぐＩＣタグの組込型背ラベルと、前記ＩＣタグに透明素材を用いかつアンテナ金属面も目立たない色彩又はデザインを用いてカモフラージュしてなる透明ラベルとから構成されることを特徴とするＩＣタグを利用した図書館における書籍類管理システムであるから、書籍類に貼付されたＩＣタグとコピー機の読み取り装置が連動されてコピー機の許可及び不許可を容易に与えることができる。
【００１９】
また本発明の最良な実施形態は、書籍類管理システムにおいて書籍類の納入ルートが受入作業→配架作業→貸出作業→持帰→ブックポスト返却→返却作業→配架作業と、該配架作業→←館内閲覧・書籍類点検とから構成されるＩＣタグを利用した図書館における書籍類管理システムであり、更に前記の書籍類管理システムにおける受入作業がスキャンしかつ管理データをＩＣ登録するシステムとからなり、また貸出作業が貸出をスキャンしてＩＣにゲート通過フラグを書き込ませＩＣタグを利用した図書館における書籍類管理システムであり、更に前記の書籍類管理システムにおける返却作業が返却書籍類のＩＣを連続スキャンしかつＩＣにゲード通過フラグを書き込むＩＣタグを利用した図書館における書籍類管理システムであり、また前記の書籍類管理システムにおける館内閲覧が通過本のＩＣゲード通過フラグを読み取りかつ通過不可フラグの場合はアラームを鳴動し更に通過フラグをＩＣに格納して瞬時に読み取るＩＣタグを利用した図書館における書籍類管理システムであり、また前記の書籍類管理システムにおける書籍類の点検が全ての書籍類を連続スキャンしてＩＣ管理データを読み取りかつ必要データを書き込み、更にサーバ情報処理にＩＣ管理データを利用したＩＣタグを利用した図書館における書籍類管理システムであるから、各システムにおいてＩＣ管理データを使用することによって簡単容易に書籍類の管理が可能となる。
【００２０】
更に、本発明の最良な実施形態は、前記の図書管理システムの図書館内にカウンターまわりに貸出カウンターを設け、該貸出カウンターで埋込式のリーダライタに書籍類と一緒に利用券のＩＣカードを載せ、更に前記カウンターの延長線上に自動貸出機を配設し、該自動貸出機を利用してＩＣ利用者カードと書籍類とを一緒に載せて利用者が自らが復数の書籍類を同時に貸出処理し、更に盗難防止ゲートを介し書籍類の点検を行うＩＣタグを利用した図書館における書籍類管理システムであるから、通過書籍類のＩＣゲート通過フラグを読み取り一方通過不可の場合はアラームが鳴動するとともに、通過フラグをＩＣに格納することによって瞬時に読み取ることができる。
【実施例１】
【００２１】
以下、本発明の管理システムについて説明する。本発明の基本的なシステムは前述した従来公知の管理システムと同様な構想によるシステムであるから、その基本システムの説明は省略しここでは改良点のみについて説明する。
ＩＣとコピー機の連携によるコピー防止機能にした点
（１）従来システムは、図書館での書籍類のコピーには制限があるが、機械的な制約がかけられないために事実上は野放し状態になっている。
（２）この問題を解決するためには、書籍類に貼付されたＩＣタグとコピー機の読取装置が連動してコピー権の許可・不許可を与える一方、ＩＣデータの中にコピー権を記録させてコピー機の読取装置でそれを判断し、更に一部コピーの繰返しによる管理も同時に行う必要がある。
（３）そこで本発明システムによることによって、図書館での繰返しコピーの制限及び企業内の不正コピーを未然に防止することが可能となる。
ポール型アンテナによるＩＣタグスキャン方式にした点
（１）従来システムは平面アンテナが一般的であり、その電波照射が広範囲にわたるために目的外のＩＣタグまで読み取ってしまう危険性があり、また広い範囲のＩＣタグに電波を当てるために１枚当たりのＩＣの起電力がばらつきやすくなって読み抜けが起きやすい問題があった。
（２）この問題点を解決するためにＵＨＦ帯でダイポールアンテナにより飛距離を制限するとともに、書籍類の背に貼ったＩＣタグにアンテナを近接させることにより安全で確実な読み取ることが可能となり、更に狭い範囲のＩＣタグに集中的に電波を当てることができるために１枚当たりのＩＣの起電力を確保しやすくなるので読み抜けを防止しやすくなる。
（３）そこで本発明システムにすることによって、ポールアンテナと背に貼ったＩＣタグの組み合わせて複数の連続したＩＣタグを容易で安全・確実でしかも効率的な読み取りができる。
ＩＣタグ組込型背ラベルにした点
（１）従来システムは現状にＩＣタグを本の裏表紙等に貼ると複数の書籍類が重ねられた状態でアンテナ面からの電波の照射角度に対してＩＣタグが重ね合わせ方向になり、またＩＣタグ間において相互干渉が起き起電力が低下して読み抜けが発生する可能性が高くなる一方、書籍類の背に貼る場合タグが表面に出てしまい書籍類の印刷面を隠してしまったりＩＣタグそのものがはがされてしまう危険性が高くなる問題点が生じていた。
（２）このような問題点を解決するためには、背ラベルにＩＣを組み込み一体化する必要がある。
（３）そこで本発明システムにすることによって、表面上は従来の背ラベルとしか見えないために新たな印刷面を隠すことがなくなり、またＩＣタグそのものへのいたずら妨害を防止することができる。
透明ラベルにした点
（１）従来システムは前記ＩＣタグ組込型背ラベルにしたのと同様にしているが、ＵＨＦ帯タグでは全長１０ｃｍ程度の細長のものが一般的に使われるために、この方法では解決しきれない問題がある。
（２）このような問題点を解決するためにはＩＣタグのベース素材を透明素材とするとともに、アンテナ金属面も目立たない色やデザインにしてカモフラージュする必要がある。（３）そこで本発明システムによって、ＩＣタグが視認しにくくなりタグ貼付の自由度が高くすることが可能となる。
【００２２】
更に、本発明システムにおけるＩＣを利用した図書館ワークフロを表１に示す。表１は、表２に示した公共図書館においてＩＣ導入した場合について表示したものである。
【００２３】
【表１】
2005354576.tif 000003
【００２４】
【表２−１】
2005354576.tif 000004
【００２５】
【表２−２】
2005354576.tif 000005
【００２６】
【表２−３】
2005354576.tif 000006
【００２７】
【表２−４】
2005354576.tif 000007
【００２８】
【表２−５】
2005354576.tif 000008
表１と表２からも明らかのように、図書管理システムにおいて書籍類の納入ルートが受入作業→配架作業→貸出作業→持帰→ブックポスト返却→返却作業→配架作業と、該配架作業→←館内閲覧・書籍類点検とから構成されるＩＣタグを利用した図書館における書籍類管理システムになっており、また書籍類管理システムにおける受入作業がスキャンしかつ管理データをＩＣ登録するシステムとからなり、また貸出作業が書籍類の貸出をスキャンしＩＣにゲート通過フラグを書き込ませＩＣタグを利用した図書館における書籍類管理システムとなっており、また書籍類管理システムにおける返却作業が返却書籍類のＩＣを連続スキャンしかつＩＣにゲード通過フラグを書き込むＩＣタグを利用した図書館における書籍類管理システムとなっており、また書籍類管理システムにおける館内閲覧が通過書籍類のＩＣゲード通過フラグを読み取りかつ通過不可フラグの場合はアラームを鳴動し、更に通過フラグをＩＣに格納して瞬時に読み取るＩＣタグを利用した図書館における書籍類管理システムとなっており、また書籍類管理システムにおける書籍類の点検が全ての書籍類を連続スキャンしてＩＣ管理データを読み取りかつ必要データを書き込み、更にサーバ情報処理にＩＣ管理データを利用したＩＣタグを利用した図書館における書籍類管理システムとなっており、更に書籍類管理システムの図書館内にカウンターまわりに貸出カウンターを設け、該貸出カウンターで埋込式のリーダライタに書籍類と一緒に利用券のＩＣカードを載せ、更に前記カウンターの延長線上に自動貸出機を配設し、該自動貸出機を利用してＩＣ利用者カードと本とを一緒に載せて利用者が自らが復数の書籍類を同時に貸出処理し、更に盗難防止ゲートを介し書籍類の点検を行うＩＣタグを利用した図書館における書籍類管理システムとなっている。  更に本発明システムについて説明すれば、まず本発明システムはＩＣタグを用いた図書館システムにおいてＲＦＩＤを活用した図書館システムである。このＲＦＩＤを導入して書籍類の貸出・返却・点検作業を行うことによって、確実な動作と効率化を図ることができる。すなわち、本発明システムは図書館で管理される書籍類その他の使用に貼付するための最適なＩＣタグ及びリーダライター装置により、図書館で運用するための最適な手段を提供するものであるとともに、そのＲＦＩＤを活用したサービスを提供するものである。また本発明システムでは、ダイポール型アンテナによるＩＣタグスキャン方式を採用しているので、従来のリーダライター装置は平面アンテナが一般的であったため電波照射が広範囲にわたり、リーダライターのアクセス範囲内に多数のタグが同時に入るためにタグ相互間の干渉がおき易く、その結果読み抜けにつながり易く、特に棚卸作業時等に書籍類を連続してスキャンする場合においてこの問題が発生しやすいのと、特定のＩＣタグに限定して電波を照射することが難しく、結果として目的外のＩＣタグにまでアクセスしてしまう危険性があるという２つの問題点に対処できる。よって、次のような特徴を有する。
ア、ＲＦＩＤを活用した図書館システムにおいて使用されているタグ組込型背ラベル及びＣＤ／ＤＶＤラベルのＩＣタグとダイポールアンテナ等との組み合わせにより、電波飛距離を限定するとともに照射範囲をダイポール外周の一定範囲に限定してアンテナ近傍の限られたＩＣタグのみを確実にアクセスできるようにすることが可能となる。
イ、また棚卸時の書架に並んだ状態で書架前面にＩＣタグが相互に重ならないよう形となり、それに対向してダイポールアンテナをスキャンさせることにより目的のＩＣタグを確実にスキャンすることも可能となる。
【図面の簡単な説明】
【００２９】
【図１】本発明の非接触ＩＣタグを利用した書籍類管理システムのブロック図。
【図２】書籍類管理装置で非接触ＩＣタグを読み取っている状況図。
【図３】図書館利用カードにおける非接触ＩＣタグの概要図。
【符号の説明】
【００３０】
１  書籍類管理システム
２  図書
３  図書館利用カード
４  非接触ＩＣタグラベル
５、７  粘着剤層
６  受像層紙面
８  セパレート紙
１１  主制御部
１２  非接触ＩＣタグ用プリンタ装置
１３  貸出用リーダライタ
１４  返却用リーダライタ
１５  蔵書図書データベース
１６  利用者データベース
１７  管理用ソフトウェア
【図１】
2005354576.tif 000009
【図２】
2005354576.tif 000010
【図３】
2005354576.tif 000011